(57)【要約】【課題】使い勝手を向上する。【解決手段】寝具を載置する寝具載置面を有する寝具受け枠３を具えたベッド１である。寝具受け枠３は、上昇可能に設けられた第１の可動部８と、一端部が該第１の可動部８と折り曲げ可能に取り付けられる第２の可動部９とを含む。第１の可動部８と第２の可動部９との寝具載置面が同一平面状となる伸展状態Ｓと、第１の可動部を実質的に水平状態で上昇させかつ第２の傾動部を一端部から他端部に向けて下降傾斜させたリクライニング状態Ｒとに変化させる受け枠駆動部を有する。【選択図】  図１
2004305555.tif 000002
【特許請求の範囲】
【請求項１】
寝具を載置する寝具載置面を有する寝具受け枠を具えたベッドであって、
前記寝具受け枠は、上昇可能に設けられた第１の可動部と、一端部が該第１の可動部と折り曲げ可能に取り付けられる第２の可動部とを含み、
前記第１の可動部と前記第２の可動部との寝具載置面が同一平面状となる伸展状態と、
前記第１の可動部を実質的に水平状態で上昇させかつ前記第２の傾動部を一端部から他端部に向けて下降傾斜させたリクライニング状態とに変化させる受け枠駆動部を有することを特徴とするベッド。
【請求項２】
前記寝具受け枠は、その下方に位置するベッド枠体に支持されるとともに、
前記受け枠駆動部は、ベッド長さ方向の垂直面内で回動可能かつ前記ベッド枠体側で一端部が枢着されるアーム体と、
このアーム体の他端部と前記第１の可動部とを連結する継ぎリンクと、
前記ベッド枠体に取り付けられかつ前記アーム体を傾動させることにより第１の可動部を上昇させる駆動器とを含むことを特徴とする請求項１記載のベッド。
【請求項３】
前記第２の可動枠は、他端部をベッド枠体に回動可能に取り付けられてなる請求項２記載のベッド。
【請求項４】
前記ベッド枠体は、倒立Ｖ字状に折曲げ可能な一対のベッド枠半体であり、
かつ前記第１の可動部と第２の可動部とがなす寝具受け枠は、一方のベッド枠半体で支持されることを特徴とする請求項２又は３に記載のベッドである。
【発明の詳細な説明】
【０００１】
【発明の属する技術分野】
本発明は、使い心地を向上しうるベッドに関する。
【０００２】
【従来の技術】
近年の生活習慣では、ベッドの上で横になってテレビを見たり或いは本を読むこと等が頻繁に行われつつある。このようなベッドの使用形態に鑑み、例えば下記特許文献１では、図８に示すように、寝台部の一部（例えば足下側）に、第１の傾動部ｂ１と、この第１の傾動部ｂ１に折り曲げ可能に連結された第２の傾動部ｂ２とを設けた折畳みベッドａが記載されている。そして、第１、第２の傾動部ｂ１、ｂ２を山折り状に折り曲げることによって、ユーザの脚部を持ち上げて血行を促進させ、かつリラックスさせる試みがなされている。
【０００３】
【特許文献１】
特開２０００−１２５９９１号公報
【０００４】
【発明が解決しようとする課題】
しかしながら、従来のベッドａでは、脚部をリラックスさせる際、第１の傾動部ｂ１が膝から足首に向かって下降する傾斜となる。このため、足裏などを流れた血が心臓へと還流しずらく、十分な血行促進効果を得るためには、さらなる改善の余地があった。
【０００５】
本発明は、以上のような問題点に鑑み案出なされたもので、第１の可動部を水平状態で上昇させることを基本として、より快適なリクライニング状態を作り出しさらに使い勝手を高めうるベッドを提供することを主たる目的としている。
【０００６】
【課題を解決するための手段】
本発明のうち請求項１記載の発明は、寝具を載置する寝具載置面を有する寝具受け枠を具えたベッドであって、前記寝具受け枠は、上昇可能に設けられた第１の可動部と、一端部が該第１の可動部と折り曲げ可能に取り付けられる第２の可動部とを含み、前記第１の可動部と前記第２の可動部との寝具載置面が同一平面状となる伸展状態と、前記第１の可動部を実質的に水平状態で上昇させかつ前記第２の傾動部を一端部から他端部に向けて下降傾斜させたリクライニング状態とに変化させる受け枠駆動部を有することを特徴としている。
【０００７】
また請求項２記載の発明は、前記寝具受け枠は、その下方に位置するベッド枠体に支持されるとともに、前記受け枠駆動部は、ベッド長さ方向の垂直面内で回動可能かつ前記ベッド枠体側で一端部が枢着されるアーム体と、このアーム体の他端部と前記第１の可動部とを連結する継ぎリンクと、前記ベッド枠体に取り付けられかつ前記アーム体を傾動させることにより第１の可動部を上昇させる駆動器とを含むことを特徴とする請求項１記載のベッドである。
【０００８】
また請求項３記載の発明は、前記第２の可動枠は、他端部をベッド枠体に回動可能に取り付けられてなる請求項２記載のベッドである。
【０００９】
また請求項４記載の発明は、前記ベッド枠体は、倒立Ｖ字状に折曲げ可能な一対のベッド枠半体であり、かつ前記第１の可動部と第２の可動部とがなす寝具受け枠は、一方のベッド枠半体で支持されることを特徴とする請求項２又は３に記載のベッドである。
【００１０】
【発明の実施の形態】
以下本発明の実施の一形態を図面に基づき説明する。
図１には、本実施形態のベッド１の分解斜視図を示す。本実施形態のベッド１は、倒立Ｖ字状に折曲げ可能なベッド枠体２と、該ベッド枠体２の上に配されかつ寝具を載置する寝具載置面ｍを有する寝具受け枠３とを具えるものが例示される。
【００１１】
前記ベッド枠体２は、第１のベッド枠半体４と第２のベッド枠半体５とで構成されている。
【００１２】
前記第１のベッド枠半体４は、枠材を例えば平面視で略コ字状ないし矩形状（本例ではコ字状）に折り曲げた主枠４ａと、縦横にのびる適宜の補強材４ｂ、４ｃとを一体に固着して形成される。第１のベッド枠半体４は、実質的にベッド長さの略半分の長さをもっている。第１のベッド枠半体４は、ベッド長さ方向の中間部側に位置する内端部が、継ぎ材６にピン等を用いて回動可能に枢着される。また第１のベッド枠半体４の外端部側には、第１の脚部材１０が、ベッドの幅方向の両側に設けられる。
【００１３】
前記第１の脚部材１０、１０は、本例では逆のＴ字状をなす脚フレーム１０ａと、その下部に取り付けられたキャスター車輪１０ｂとで構成される。脚フレーム１０ａは、第１のベッド枠半体４にピンにて回動可能に取り付けられる。また両側の第１の脚部材１０，１０は、第１のベッド枠半体４の下方でベッド幅方向にのびる連結板１１によって一体に固着される。また本実施形態では、第１のベッド枠半体４の外端部に、化粧仕上げされかつ垂直に立ち上がる宮板１３が取り付けられたものを例示している。特に限定はされないが、好適な使用例として、この第１のベッド枠半体４側にユーザの上半身を載置させる。
【００１４】
前記第２のベッド枠半体５は、第１のベッド枠半体４と同様に枠材を略コ字状に折り曲げた主枠５ａと、縦横にのびる補強材５ｂ、５ｃとを一体に固着して形成される。第２のベッド枠半体５も、ベッド長さの約半分の長さ（例えば９００〜１０００ｍｍ）をもっている。該第２のベッド枠半体５は、そのベッド長さ方向の中間部に位置する内端部が、前記継ぎ材６にピンにて回動可能に枢着される。本実施形態では、第１、第２のベッド枠半体４、５は、それぞれベッド長さ方向で離間したそれぞれ別の軸で支承されるが、同じ軸で支承することでも良い。これにより、折り畳み時、第１、第２の脚部材１０、１５が干渉するのを防止できる。第２のベッド枠半体５の前記主枠５ａには、ベッド幅方向に突出した取付軸１４を介して、第２の脚部材１５が固着される。第２の脚部材１５は、第２のベッド枠半体５から高さ方向に突出する部分によって手摺りを兼ねるとともに、下方にのびる端部には、接地する車輪１６が設けられる。
【００１５】
ベッド幅方向の両側に設けられた前記継ぎ材６、６は、連結板１７により一体に固着されるとともに、この連結材１７には、中間支脚部１９が固着される。中間支脚部１９は、水平状態で床面と接地する。これにより、第１、第２の脚部材１０、１５及び中間支脚部１９でベッド荷重を支持し、使用時の安定性を高める。図１では省略したが、図２に示すように、中間支脚部１９と第１のベッド枠半体４との間、及び、中間支脚部１９と第２のベッド枠半体５との間には、折畳み労力を軽減する例えば引張バネ２０、２０をそれぞれ架け渡すことができる。このようなベッド１は、継ぎ材６の一端に前記第１のベッド枠半体４を、かつ継ぎ材６の他端に前記第２のベッド枠半体５をそれぞれ枢支しているため、第１のベッド枠半体２と第２のベッド枠半体３とは、互いに垂直位置となるよう折り曲げることによりベッド１をコンパクトに収納できる。この際、引張バネ２０は、折畳み時の操作力を軽減する。なお引張バネ２０の架設位置を変えることができ、また電動機などを使用して、自動によりベッド１の折畳み、展開動作を行わせることが可能である。
【００１６】
本実施形態の寝具受け枠３は、ベッド枠体２に対して非傾動の基部７と、上昇可能に設けられた第１の可動部８と、前記基部７と第１の可動部８との間に配されかつ一端部９ｏが該第１の可動部８と折り曲げ可能に取り付けられた第２の可動部９とを含んで構成されたものが例示される。
【００１７】
前記基部７は、図２に示すように、基部７は、第１のベッド枠半体４と同長さでかつやや広幅の矩形状をなす。また基部７は、例えばパイプ材などを矩形に折り曲げた枠体７Ａと、この枠体７Ａが囲む空所に配された金網状の下張り材７Ｂと、桟状の補強材７Ｃとを固着して構成され、ボルト等を用いてを第１のベッド枠５の上に一体に固着されている。
【００１８】
前記第１の可動部８は、本実施形態では、第２のベッド枠半体５の上で支持されており、固定はされていない。従って、上向きの外力を受けることにより、第２のベッド枠半体５から上昇できる。また第１の可動部８は、パイプ材等を横長矩形状に結合した枠体８Ａと、この枠体８Ａが囲む空所に配され寝具を載置可能な下張り材８Ｂと、縦横にのびる補強材８Ｃ、８Ｄとを含んで構成される。第１の可動部８の長さは、第２のベッド枠半体５の長さの６０〜８０％程度に設定されるのが好ましい。
【００１９】
前記第２の可動部９は、パイプ材等を横長矩形状に構成した枠体９Ａと、この枠体９Ａが囲む空所に配され寝具を載置可能な下張り材９Ｂと、ベッド長さ方向にのびる補強材９Ｃとを含んで構成される。第２の可動部９は、第２のベッド枠半体５から第１の可動部８を除いた長さにほぼ等しい。第２の可動部９の一端部９ｏは、第１の可動部８側を、他端部９ｉは基部７側をそれぞれ向いている。
【００２０】
第２の可動部９の一端部９ｏは、図３に拡大して示す如く、第１の可動部８に設けた連結金具２１に、ベッド幅方向にのびる水平なピン２１を介して折り曲げ可能に取り付けられる。また第２の可動部の他端部９ｉは、第２のベッド枠半体５に回動可能に取り付けられる。本実施形態では、第２のベッド枠半体５に、ベッド幅方向にのびる回動軸２２が設けられ、この回転軸２２を介して第２の可動部９の他端部９ｉが第２のベッド枠半体５に取り付けされている。
【００２１】
本実施形態では、寝具受け枠３において、前記各部の下張り材７Ｂ、８Ｂ又は９Ｂを含む平面が寝具載置面ｍをなす。この寝具載置面ｍの上にマットレス等を単に載置しても良いが、好ましくは、図６に部分的に示すように、それぞれの下張り材（この例では７Ｂ）の上にスポンジ、チップウレタンフォーム、その他のクッション材からなる寝具Ｃ２を固着し、さらに枠体７Ａとともにこれらシーツ状の被覆カバーＣ２で被覆して寝具Ｃ２と一体に構成することが好ましい。
【００２２】
本実施形態のベッド１は、図３、図４に略示する如く、伸展状態Ｓと、リクライニング状態Ｒとに寝具受け枠３を変化させる受け枠駆動部Ｄを具えている。
【００２３】
伸展状態Ｓは、基部７と第１の可動部８と第２の可動部９との寝具載置面ｍが同一平面状（なおここで言う「同一平面状」とは、製造上の誤差やガタツキによって生じる程度の段差はあるが機構上同一平面上に位置させることを意図したものを含む。以下同じである。）の状態である。またリクライニング状態Ｒは、第１の可動部８を実質的に水平状態で上昇させかつ第２の傾動部９を一端部９ｏから他端部９ｉに向けて下降傾斜させた状態である。基部７は、伸展状態Ｓの位置を保持しており変化しない。
【００２４】
伸展状態Ｓは、ベッド１の寝台面を連続した水平面としうるため、枕を使用して通常の睡眠をとるのに適する。これに対して、リクライニング状態Ｒは、第１の可動部８を水平のまま上昇させかつ基部７を低いまま水平とし、さらに第２の可動部９を第１の可動部８と基部７とを繋ぐようその一端部９ｏから他端部９ｉに向けて下降傾斜させる。これにより、第１の可動部８と第２の可動部９とは段差を生じることなく滑らかに連続する。このため、図６に示す使用形態では、ユーザの足側から頭部に向けて高さを段階的ではあるが徐々に下降させることができる。これにより、足裏などを流れた血が心臓へと還流しやすくなり、十分な血行促進効果を図ることができる。つまり図８に示した従来のベッドａでの不具合を改善しうる。
【００２５】
前記受け枠駆動部Ｄは、本例では図１〜図４に示す如く、ベッド長さ方向の垂直面内で回動可能かつ前記ベッド枠体２側で一端部が枢着されるアーム体２４と、このアーム体２４の他端部と前記第１の可動部８とを連結する継ぎリンク２５と、前記ベッド枠体２に取り付けられかつ前記アーム体２４を傾動させることにより第１の可動部８を上昇させる駆動器２６とを含んで構成されたものが例示される。
【００２６】
本実施形態のアーム体２４は、ベッド長さ方向に並置された長さの等しい第１のアーム体２４ａと、第２のアーム体２４ｂとを含み、これらは図１に示すように各々ベッド幅方向に隔設された一対のもので構成される。第２のベッド枠半体５の主枠５ａには、その両側部に、二組の軸受け片２７、２８が固着される。この軸受け片２７、２８には、それぞれの間で、ベッド幅方向にのびる平行な回転軸２９、３０が同高さ位置で回動自在に枢支される。第１のアーム体２４ａは、回転軸２９に、第２のアーム体２４ｂは回転軸３０に固着されている。このように、第１、第２のアーム体２４ａ、２４ｂの一端部は、回転軸２９又は３０を介してベッド枠体２（より具体的には第２のベッド枠半体５）に枢着される。
【００２７】
また前記継ぎリンク２５は、図３に示すように、ベッド長さ方向に並置された長さの等しい第１の継ぎリンク２５ａと、第２の継ぎリンク２５ｂとを含み、これらは各々ベッド幅方向に隔設された一対のもので構成される。第１の継ぎリンク２５は、本例では一端が第１のアーム体２４ａの他端部に、また第２の継ぎリンク２５ｂは、一端が第２のアーム体２４ｂの他端部に、夫々回動自在に枢着される。また各継ぎリンク２５ａ、２５ｂの他端は、第１の可動部８の補強材９ｃなどに金具３１を介して枢着される。
【００２８】
前記駆動器２６として、本例では電動機などを有する本体部２６ａと、該電動機の正転、逆転により本体部２６ａから伸び縮み（出没）自在なロッド２６ｂとを具えるボールネジ機構を用いた電動式シリンダが例示される。該駆動器２６は、ロッド２６ｂをベッド長さ方向に沿って配される。具体的には、駆動器２６の本体部３２ａは、第２のベッド枠半体５の主枠５ａなどにブラケットなどを介して枢着され、垂直面内を傾動できる。また駆動器２６のロッド２６ｂは、前記一方の回転軸２９に向かってのび、ブラケット３２を介して回動可能に連結される。従って、駆動器２６のロッド２６ｂを伸縮させることによって、回動軸２９を回転させ、ひいては前記第１のアーム体２４ａを垂直面内で傾動させることができる。
【００２９】
図５には、受け枠駆動部Ｄを含む機構の模式図を示す。
この機構では、リンク数が８個、自由度１のペアが１０個であるため、機構全体の自由度Ｆが１となる（限定機構）。また原動節は駆動器２６の一つであるため、受け枠駆動部Ｄは強制駆動される。図において、駆動器２６のロッド２６ｂを縮めることにより、第１、第２のアーム体２４ａ、２４ｂは、夫々回転軸２９、３０の回りに時計回りに傾動し、継ぎリンク２５が第１の可動部８を押し上げ得る。
【００３０】
一方、第１の可動部８は、回転軸２２に回動自在に取り付けられた第２の可動部９とピンＰ１にて連結されている。このため、第１の可動部８は、回転軸２２を中心とした旋回運動による拘束を受ける。また、アーム体２４、継ぎリンク２５は、それぞれ長さが等しい一対のリンク片によって平行リンク機構を形成している。従って、第１のアーム体２４ａは第２のアーム体２４ｂと常に平行に保たれる。同様に第１の継ぎリンク２５ａは第２の継ぎリンク２５ｂと、平行に保たれる。従って、図４、図５の仮想線にて示すように、第１の可動部８は、伸展状態での水平状態を保持したまま上下に運動できる。また第２の可動部９は、第１の可動部８と段差を生じることなく一端部９ｏから他端部９ｉに向けて下降傾斜できる。これにより、ベッド１は、伸展状態からリクライニング状態Ｒへと連続して変化しうる。
【００３１】
なお本実施形態のように、ベッド１が折畳み式の場合、折畳み時のコンパクト化を図るため、伸展状態Ｓにおいて、ベッドの厚さ（各ベッド枠半体の厚さ）を小とすることが望ましい。この場合、図４に示すように、駆動器２６の角度βを極力小さく設定することが好ましい。他方、このように、駆動器２６を配すると、第１の可動部８の上昇量ｈを大きく確保することが難しい。本実施形態のように、受け枠駆動部Ｄに、前記アーム体２４と継ぎリンク２５とを用いた場合には、第１の可動部８の上昇量をより大きく稼ぐことができる点で好ましいものとなる。
【００３２】
リクライニング状態Ｒにおける第１の可動部８の高さは、駆動器２６のロッドのストロークを調節することに適宜好みの高さに調節しうる。この調節は、図示しないリモートコントローラを用いてユーザにより自由に行われる。特に限定はされないが、第１の可動部８の最大の上昇量ｈは、例えば８０〜２００ｍｍ、より好ましくは１００〜１５０ｍｍ程度とするのが特に好ましい。これにより、標準的な成人において、よりくつろげるリクライニング状態Ｒが形成できる。
【００３３】
また駆動器２６は、電動機の回転出力を減速しかつボールナットなどの直線運動変換機構を介してロッド２６ｂを設けているため、ロッド２６ｂ側からの外力に対して電動機を回転させることはできない。従って、駆動器２６は、その停止時、位置を保持するロック機構として機能する。さらに、ベッド１は、リクライニング状態Ｒにおいて、駆動器２６のロッド２６ｂを伸ばすことにより、第１の可動部８を水平に保持したまま第１の可動部９を下降させることができる。
【００３４】
また、例えば受け枠駆動部Ｄは、電動機にて伸縮するロッドタイプのものに代えて、周知のロック機構付伸縮継手を用いることもできる。図７には、駆動器２６に、手動操作が可能なロック機構付き伸縮継手４０を用いた他の実施形態を示す。手動駆動器４０は、一端が解放された筒状の鞘部４０ａと、該鞘部４０ａから出入り可能なロッド部４０ｂとで構成される。鞘部４０ａには、その長手方向にのびる主溝４１と、該主溝から斜めに隔設されたラチエット溝４２とを含む係合溝４３が設けられる。ロッド部４０ｂには、前記係合溝に嵌り合いロックないしスライドが可能なガイド片４６が設けられている。ガイド片４６は、ロッド部４０ｂが鞘部４０ａからのびる向きの移動に際しては、ラチェット溝４２と主溝４１とを抵抗を生じることなく順次移動できる。しながらロッド部４０ｂを縮める向きの移動に際しては、ラチェット溝４２に噛み合いその位置がロックされる。図において三点鎖線で示すように、ロッド部４０ｂを鞘部４０ａから最も伸長させると、ガイド４６は主溝４１側に拘束され、これにより、ロッド部４４ｂを縮めることができる。
【００３５】
また、この実施形態では、ロッド部４０ｂの先端部が第１の可動部８に回動自在に連結され、かつ鞘部４０ａの端部が第２のベッド枠半体５に回動自在に連結されている。また第２の可動部９は、第２のベッド枠半体５に回動自在に連結されている。なお第１の可動部８は、前記第２のベッド枠半体５と第２の可動部９とで四節平行連鎖を形成しうる継ぎリンク４５により第２のベッド枠半体５と回動自在に連結される。このように、本実施形態では、受け枠駆動部を簡素化できる。
【００３６】
また第１の可動部８又は第２の可動部９の少なくとも一方には、ユーザが可動部を上に持ち上げる際に使用する持ち手部４４が固着される。該持ち手部４４は、可動部に固着された例えば紐、金属又は樹脂からなる持ち手本体４４ａと、その外周部を覆う例えばスポンジ等の軟質材からなるカバー部４４ｂとで構成される。これにより、ユーザの手への負担を軽減するのに役立つ。
【００３７】
この実施形態では、ユーザが持ち手部４４を把持し本例では第２の可動部９を持ち上げて好みの高さで手を離す。これにより、ロック機構付き伸縮継手４０のロッド部４０ｂが鞘部４０ａから突出するとともに、任意のラチェット溝４２にロッド部４０ｂのガイド４６が噛み合う。これにより、仮想線で示すように、リクライニング状態Ｒに変形できる。伸展状態Ｓに戻す際には、第２の可動部９をさらに引き上げ、ロック機構付き伸縮継手４０のロッド４０ｂを最大に伸ばした後静かに第２の可動部９を下降させればよい。
【００３８】
また、前記の各実施形態では、第１の可動部８をユーザの脚部側として好適な例を示したが、これに限定されるわけではなく、例えば第１、第２の可動部８、９をユーザの頭部側として使用することも勿論可能である。この場合、ユーザの頭部を高く保持して、いわゆる枕としての機能をもたせることもできる。また本実施形態では、折畳み式であるが、非折り畳み式のベッドとしても良い、以上のように本発明は上記の実施形態に限定されることなく種々の形態で実施しうる。
【００３９】
【発明の効果】
以上説明したように、請求項１記載の発明では、寝具を載置する寝具載置面を有する寝具受け枠を具えたベッドであって、前記寝具受け枠は、上昇可能に設けられた第１の可動部と、一端部が該第１の可動部と折り曲げ可能に取り付けられる第２の可動部とを含み、前記第１の可動部と前記第２の可動部との寝具載置面が同一平面状となる伸展状態と、前記第１の可動部を実質的に水平状態で上昇させかつ前記第２の傾動部を一端部から他端部に向けて下降傾斜させたリクライニング状態とに変化させる受け枠駆動部を有する。従って、例えば第１、第２の可動部側にユーザの脚部を向けて使用するとき、ユーザの足側から頭部に向けて高さを段階的ではあるが徐々に下降させることができる。これにより、足裏などを流れた血が心臓へと還流しやすくなり、十分な血行促進効果を図ることができる。
【００４０】
また請求項２記載の発明のように、前記寝具受け枠は、その下方に位置するベッド枠体に支持させることができ、また受け枠駆動部は、ベッド長さ方向の垂直面内で回動可能かつ前記ベッド枠体側で一端部が枢着されるアーム体と、このアーム体の他端部と前記第１の可動部とを連結する継ぎリンクと、前記ベッド枠体に取り付けられかつ前記アーム体を傾動させることにより第１の可動部を上昇させる駆動器とを含んで簡単に構成できる。また第１の可動部を、継ぎリンクを介してアーム体と接続しているため、リンク長さを大、ひいては第１の可動部の上昇量を大とするのに役立つ。
【００４１】
また請求項４記載の発明のように、前記ベッド枠体は、倒立Ｖ字状に折曲げ可能な一対のベッド枠半体であり、かつ前記第１の可動部と第２の可動部とがなす寝具受け枠は、一方のベッド枠半体で支持されるときには、折畳みベッドに本発明を容易に適用することができる。
【図面の簡単な説明】
【図１】本実施形態のベッドの分解斜視図である。
【図２】ベッドの平面図である。
【図３】第１の可動部と第２の可動部との連結部を示す部分側面図である。
【図４】第１の可動部と第２の可動部との連結部を示す部分側面図である。
【図５】受け枠駆動部を模式的に示す線図である。
【図６】本発明のベッドの側面図である。
【図７】他の実施形態を示す受け枠駆動部の模式図である。
【図８】従来のベッドの側面図である。
【符号の説明】
１  ベッド
２  ベッド枠体
３  寝具受け枠
４  第１のベッド枠半体
５  第２のベッド枠半体
７  基部
８  第１の可動部
９  第２の可動部
２４  アーム体
２５  継ぎリンク
２６  駆動器
Ｄ  受け枠駆動具
【図１】
2004305555.tif 000003
【図２】
2004305555.tif 000004
【図３】
2004305555.tif 000005
【図４】
2004305555.tif 000006
【図５】
2004305555.tif 000007
【図６】
2004305555.tif 000008
【図７】
2004305555.tif 000009
【図８】
2004305555.tif 000010